(57)【要約】【課題】現在普及している係止具や封緘具の商品への取付作業性と殆んど変わりがない作業で商品等に取り付けられ、しかも小型化により陳列デザインに影響がない状態でＲＦＩＤ化することにより、商品等の上述した各種管理を簡素化できるＵＨＦタグ兼用の係止具を提供する。【解決手段】頭部１ａから帯状部２ａを延設し、これら頭部１ａと帯状部２ａに、それらが互いに係止し合う係止機構Ｋａを設けた、少なくとも一部が樹脂製の係止具であって，前記頭部１ａにＵＨＦ帯の電波に対応するＩＣチップ部４ａを配設する一方，前記帯状部２ａを、前記ＩＣチップ部４ａを動作させるためのＵＨＦ帯の電波を受送信するアンテナ部５ａと兼用にするとともに、前記頭部１ａと前記帯状部２ａを係止して帯状部２ａがループ状態になった時に、前記アンテナ部５ａ中間位置が電気的な開放端部５３ａになるように構成した。【選択図】図１
2014154134.tif 000002
【特許請求の範囲】
【請求項１】
頭部から帯状部を延設し、これら頭部と帯状部に、それらが互いに係止し合う係止機構を設けた、少なくとも一部が樹脂製の係止具であって，前記頭部にＵＨＦ帯の電波に対応するＩＣチップ部を配設する一方，前記帯状部を、前記ＩＣチップ部を動作させるためのＵＨＦ帯の電波を受送信するアンテナ部と兼用にするとともに、前記頭部と前記帯状部を係止して帯状部がループ状態になった時に、前記アンテナ部中間位置が電気的な開放端部になるように構成したことを特徴とするＵＨＦ電波帯タグ兼用の係止具。
【請求項２】
頭部から帯状部を延設し、これら頭部と帯状部に、それらが互いに係止し合う係止機構か，若しくは、前記帯状部の前記頭部と反対側の部位に他の物品と協働して係止する係止機構を設けた、少なくとも一部が樹脂製の係止具であって，前記係止具の複数の前記頭部同士を連結して一体的に結合させ頭部群とするとともに、前記頭部群にＵＨＦ帯の電波に対応するＩＣチップ部を配設する一方，前記各帯状部の一部又は全部を、前記ＩＣチップ部を動作させるためのＵＨＦ帯の電波を受送信するアンテナ部と兼用にするとともに、前記アンテナ部に開放端部を設けたことを特徴とするＵＨＦ電波帯タグ兼用の係止具。
【請求項３】
頭部と帯状部が互いに係止し合う係止機構を、係止部分を設けた頭部と、この係止部分に係合する結合部とにする一方、帯状部を前記頭部と前記結合部の間を繋ぐフィラメント状にするとともに、この帯状部をアンテナ部の中間を電気的絶縁状態にすることにより前記アンテナ部の開放端部を形成したことを特徴とする請求項１又は請求項２のいずれかに記載のＵＨＦ電波帯タグ兼用の係止具。
【請求項４】
ＩＣチップ部を、前記頭部側の係止機構と兼用にしたことを特徴とする請求項１ないし請求項３のいずれかに記載のＵＨＦ電波帯タグ兼用の係止具。
【請求項５】
頭部と帯状部が互いに係止し合う係止機構を、前記頭部と反対側の前記帯状部の自由端部分に縮小拡大可能な矢尻状の結合部を設けるとともに、この結合部と前記頭部間の前記帯状部をフィラメント状に形成する一方、前記頭部には、前記結合部の係止部分を形成し、この係止部分は、前記結合部の拡大時の外形寸法よりも小形で、縮小時の外形寸法よりも大形の穴を持つ固定歯にしたことを特徴とする請求項１ないし請求項４のいずれかに記載のＵＨＦ電波帯タグ兼用の係止具。
【請求項６】
帯状部を二つ折りにしたことを特徴とする請求項１ないし請求項５のいずれかに記載のＵＨＦ電波帯タグ兼用の係止具。
【請求項７】
帯状部の頭部と反対側の部位に他の物品と協働して係止する係止機構を、フィラメント状にした前記帯状部と、この帯状部の前記頭部と反対側の部位に前記帯状部と交差する姿勢で設けた横棒と、この横棒が通過する他の物品とで形成した複数の係止具の前記頭部同士を連結するとともに、前記複数の前記帯状部を電気的に連通するアンテナ部とし、前記横棒が前記帯状部と並行状態の姿勢時に他の物品を貫通し、他の物品を貫通後に再び前記帯状部に対して前記横棒が交差する姿勢にすべく複数の前記各横棒を前記他の物品に間隔を設けて貫通させて、これら帯状部と横棒の取付関係を形成したことを特徴とする請求項２に記載のＵＨＦ電波帯タグ兼用の係止具。
【請求項８】
係止具の外面を導電性材で蒸着することにより帯状部をアンテナ部としたことを特徴とする請求項１ないし請求項７のいずれかに記載のＵＨＦ電波帯タグ兼用の係止具。
【請求項９】
帯状部の材質を導電体とする一方、この帯状部を樹脂製の他の部分と一体的にしたことを特徴とする請求項１ないし請求項７のいずれかに記載のＵＨＦ電波帯タグ兼用の係止具。
【請求項１０】
アンテナ部を外的な静電気と絶縁するように構成したことを特徴とする請求項１ないし請求項９のいずれかに記載のＵＨＦ電波帯タグ兼用の係止具。
【発明の詳細な説明】
【技術分野】
【０００１】  本発明は、商品と各種タグ、あるいはセキュリティを要求される各種箱等を連結する際に使用する係止具に関し、更に詳しくは、情報の記録や読み出しを無線電波で行うＵＨＦ電波帯タグを兼用させた係止具に関する。
【背景技術】
【０００２】  最近、広く普及しているバーコードに代わり、ＲＦＩＤ（Ｒａｄｉｏ  Ｆｒｅｑｕｅｎｃｙ  Ｉｄｅｎｔｉｆｉｃａｔｉｏｎ）と呼ばれる、無線通信による認識技術が注目されている。
この技術は、カード又はタグ等の媒体に組み込まれたＩＣチップに、電波を用いてデータを記録し、あるいは読み出すもので、アンテナを介した無線通信によって認識するものである。
この技術の注目される理由は、バーコードに比べ記憶させることができる情報量が桁違いに大きいこと、無線通信で行えるため、バーコードのような接触型に近いものとは比べものにならないほど離れた距離で通信できること、さらには、バーコードが個々に通信処理を行わなければならないのに比べ、ＲＦＩＤは、通信処理をまとめて行うことができること、そしてさらには、商品の生産から消費までのトレーサビリティが可能であること等、その効果は計り知れないものがあって、各分野では、早くから導入の検討を行っている状況にある。
その中で、主にアパレル等の分野では、同じデザインの商品でも他の商品に比べサイズの種類、色の種類等が格段に多く、特に売り場内はもちろんのことバックヤードでの在庫管理が煩雑さを極めているため、いち早く各種管理をＲＦＩＤ化しようとする機運がある。
しかし、上記機運があるのにも関わらず、商品にブランドタグやプライスタグを取り付ける際に使用する通称タグピンと呼ばれる係止片や、取り付け状態がループ状になる通称ループロックと呼ばれる封緘具の他に、何らかの方法でＲＦＩＤタグを取り付ける必要があり作業工数が増すこと、及び、ＲＦＩＤは、例えばＰＥＴフィルム上に金属のアンテナを印刷やエッヂング等により配設し、このアンテナと電気的結合するようにＩＣチップを載せているので、かなり大きな面積（大型化）になり展示デザイン上好ましくないこと、ＲＦＩＤは繊細であるため耐性向上の観点からＲＦＩＤを保護しなければならず、高価になること等の理由で現在では未だ普及していない現状にある。
【先行技術文献】
【０００３】
【特許文献】
【特許文献】  特許第４３５２２３２号  出願人が特許権者であるこの特許発明は、回収すべきタグを、セキュリティを確保した上で回収できるタグ連結装置を提供することを目的とし、更に、ブランドタグやプライスタグと回収すべきタグをまとめて連結でき、回収すべきタグだけ回収しても他のタグ情報は、消費者まで伝えることのできるタグ連結装置を提供することを目的とし、頭部から帯状部を延設し、これら頭部と帯状部に、それらが互いに係止し合う係止機構か、若しくは、前記帯状部の前記頭部と反対側の部位に他の物品と協働して係止する係止機構を設けた連結具と、この連結具から独立して形成したタグとを着脱する機構をこれら連結具とタグとに設け、この着脱機構は、少なくとも前記連結具から前記タグを外す時にこの連結具を外さずに外的操作機構により前記連結具と前記タグを分離するように構成したものである。
【発明の概要】
【発明が解決しようとする課題】
【０００４】  上記特許発明は、リユースできるので何回も同じタグを使用でき、使用回数が多くなればなるほど、使用回数１回当りのコストを下げることができる利点、及びタグに書き込まれた情報を店舗等から外に漏洩することはない利点を有する反面、タグの着脱作業工数が増えるため、アパレル等の分野では良い提案との評価があるにもかかわらず、商品そのものの低価格化が進んでいる現状では、今ひとつ導入に踏み切れないでいる現状にある。【０００５】  そこで本発明は、現在普及している係止具や封緘具の商品への取付作業性と殆んど変わりがない作業で商品等に取り付けられ、しかも小型化により陳列デザインに影響がない状態でＲＦＩＤ化することにより、商品等の上述した各種管理を簡素化でき、加えて、棚卸、バックヤードでの適正在庫管理、顧客が商品を手に取る等の顧客の商品への関心度、盗難防止、レジ作業の簡素化等の各種管理を行うことができるＵＨＦタグ兼用の係止具を提供することを目的とする。
【課題を解決するための手段】
【０００６】  課題を解決するための第一の手段は、頭部から帯状部を延設し、これら頭部と帯状部に、それらが互いに係止し合う係止機構を設けた、少なくとも一部が樹脂製の係止具であって，前記頭部にＵＨＦ帯の電波に対応するＩＣチップ部を配設する一方，前記帯状部を、前記ＩＣチップ部を動作させるためのＵＨＦ帯の電波を受送信するアンテナ部と兼用にするとともに、前記頭部と前記帯状部を係止して帯状部がループ状態になった時に、前記アンテナ部中間位置が電気的な開放端部になるように構成したことを特徴とするＵＨＦ電波帯タグ兼用の係止具を提供する。【０００７】  課題を解決するための第二の手段は、頭部から帯状部を延設し、これら頭部と帯状部に、それらが互いに係止し合う係止機構か，若しくは、前記帯状部の前記頭部と反対側の部位に他の物品と協働して係止する係止機構を設けた、少なくとも一部が樹脂製の係止具であって，前記係止具の複数の前記頭部同士を連結して一体的に結合させ頭部群とするとともに、前記頭部群にＵＨＦ帯の電波に対応するＩＣチップ部を配設する一方，前記各帯状部の一部又は全部を、前記ＩＣチップ部を動作させるためのＵＨＦ帯の電波を受送信するアンテナ部と兼用にするとともに、前記アンテナ部に開放端部を設けたことを特徴とするＵＨＦ電波帯タグ兼用の係止具を提供する。【０００８】  課題を解決するための第三の手段は、上記第一の手段または第二の手段いずれかに加え、頭部と帯状部が互いに係止し合う係止機構を、係止部分を設けた頭部と、この係止部分に係合する結合部とにする一方、帯状部を前記頭部と前記結合部の間を繋ぐフィラメント状にするとともに、この帯状部をアンテナ部と兼用にし、加えてこのアンテナ部の中間を電気的絶縁状態にすることにより前記アンテナ部の開放端部を形成したことを特徴とするＵＨＦ電波帯タグ兼用の係止具を提供する。【０００９】  課題を解決するための第四の手段は、上記第一の手段から第三の手段のいずれかに加え、ＩＣチップ部を、前記頭部側の係止機構と兼用にしたことを特徴とするＵＨＦ電波帯タグ兼用の係止具を提供する。【００１０】  課題を解決するための第五の手段は、上記第一の手段から第四の手段のいずれかに加え、頭部と帯状部が互いに係止し合う係止機構を、頭部と反対側の帯状部の自由端部分に縮小拡大可能な矢尻状の結合部を設けるとともに、この結合部と頭部間部分の帯状部をフィラメント状に形成する一方、前記頭部には、前記結合部の係止部分を形成し、この係止部分は、前記結合部の拡大時の外形寸法よりも小形で、縮小時の外形寸法よりも大形の穴を持つ固定歯にしたことを特徴とするＵＨＦ電波帯タグ兼用の係止具を提供する。【００１１】  課題を解決するための第六の手段は、上記第一の手段から第五の手段のいずれかに加え、帯状部を二つ折りにしたＵＨＦ電波帯タグ兼用の係止具を提供する。【００１２】  課題を解決するための第七の手段は、上記第二の手段に加え、帯状部の頭部と反対側の部位に他の物品と協働して係止する係止機構を、フィラメント状にした帯状部と、この帯状部の頭部と反対側の部位に前記帯状部と交差する姿勢で設けた横棒と、この横棒が通過する他の物品とで形成した複数の係止具の頭部同士を連結すると���もに、前記複数の帯状部を電気的に連通するアンテナ部とし、前記横棒が前記帯状部と並行状態の姿勢時に他の物品を貫通し、他の物品を貫通後に再び前記帯状部に対して前記横棒が交差する姿勢にすべく複数の前記各横棒を前記他の物品に間隔を設けて貫通させて、これら帯状部と横棒の取付関係を形成したことを特徴とするＵＨＦ電波帯タグ兼用の係止具を提供する。【００１３】  課題を解決するための第八の手段は、上記第一の手段から第七の手段のいずれかに加え、係止具の外面を導電性材で蒸着することにより帯状部をアンテナ部としたことを特徴とするＵＨＦ電波帯タグ兼用の係止具を提供する。【００１４】  課題を解決するための第九の手段は、上記第一の手段から第七の手段のいずれかに加え、帯状部の材質を導電体とする一方、この帯状部を樹脂製の他の部分と一体的にしたことを特徴とすることを特徴とするＵＨＦ電波帯タグ兼用の係止具を提供する。【００１５】  課題を解決するための第十の手段は、上記第一の手段から第九の手段のいずれかに加え、アンテナ部を外的な静電気と絶縁するように構成したことを特徴とするＵＨＦ電波帯タグ兼用の係止具を提供する。
【発明の効果】
【００１６】  第一の課題解決手段による作用効果は次の通りである。
頭部にＵＨＦ帯の電波に対応するＩＣチップ部を配設する一方，前記帯状部を、前記ＩＣチップ部を動作させるためのＵＨＦ帯の電波を受送信するアンテナ部と兼用にするとともに、前記頭部と前記帯状部を係止して帯状部がループ状態になった時に、前記アンテナ部中間位置が電気的な開放端部になるように構成したことにより、係止具そのものをＵＨＦ帯電波を受送信するＲＦＩＤ化し、帯状部をモノポール又はダイポール型のアンテナ部にすることができる。
したがって、現在普及している係止具や封緘具と同等の大きさの係止具で、しかもループ状にして使用しても帯状部は通常の封緘に加えアンテナの役目も果たすことができる。加えて商品への取付作業性を従来と殆んど変わりがない作業で行うことができ、また、小型化により陳列デザインに影響がない状態で、通信性能の必要性応じて選択するモノポール又はダイポール型のアンテナ部を介してＩＣチップとシステム間の情報のやりとり、例えば、棚卸、バックヤードでの適正在庫管理、顧客が商品を手に取る等の顧客の商品への関心度、盗難防止、レジ作業の簡素化等の各種管理を行うことができる等画期的な作用効果を奏する。【００１７】  また、第二の課題解決手段による作用効果は次の通りである。
係止具の複数の前記頭部同士を連結して一体的に結合させ頭部群とするとともに、前記頭部群にＵＨＦ帯の電波に対応するＩＣチップ部を配設する一方，前記各帯状部の一部又は全部を、前記ＩＣチップ部を動作させるためのＵＨＦ帯の電波を受送信するアンテナ部と兼用にするとともに、前記アンテナ部に開放端部を設けたことにより、係止具そのものをＵＨＦ電波帯を受送信するＲＦＩＤ化し、帯状部をダイポール又はクロスダイポール型のアンテナ部にすることができる。
したがって、現在普及している係止具や封緘具と近似する大きさの係止具で、帯状部を高性能通信のアンテナにすることができる。加えて取付作業性を従来と殆んど変わりがない作業で商品等に取り付けることができ、しかも小型化により陳列デザインに影響がない状態で無線による長距離通信や受送信の方向性の範囲を拡大することができるので、ＩＣチップとシステム間の情報のやりとり、例えば、棚卸、バックヤードでの適正在庫管理、顧客が商品を手に取る等の顧客の商品への関心度、盗難防止、レジ作業の簡素化等の各種管理を、商品から離れた場所でしかも受送信の方向性を気にすることなく効果的に行うことも可能となる極めて高性能な係止具を提供できる。【００１８】  第三の課題解決手段による作用効果は、第一，第二の課題解決手段いずれかの作用効果に加え、頭部と帯状部が互いに係止し合う係止機構を、係止部分を設けた頭部と、この係止部分に係合する結合部とにする一方、帯状部を前記頭部と前記結合部の間を繋ぐフィラメント状にするとともに、この帯状部をアンテナ部と兼用にし、加えてこのアンテナ部の中間を電気的絶縁状態にすることにより前記アンテナ部の開放端部を形成したので、一見して現在普及している係止具や封緘具と同等に見えるため、特に盗難防止用に使用した場合、顧客は違和感なく商品を手にとることができる他、帯状部をフィラメント状にしたことにより、質量も小さい状態でＲＦＩＤ化することができる。【００１９】  第四の課題解決手段による作用効果は、第一から第三の課題解決手段のいずれかの作用効果に加え、ＩＣチップ部を、前記頭部側の係止機構と兼用にしたので頭部を小型化でき、係止具とＵＨＦタグとを兼用にしたことによる係止具の小型化をさらに促進させることができる。
また、ＩＣチップ部にある程度剛性を持たせれば、係止具を成形する際に、ＩＣチップ部を金型で挟み込むことができ、成形しやすいので安価に提供できる利点もある。【００２０】  第五の課題解決手段による作用効果は、第一ないし第四の課題解決手段いずれかの作用効果に加え、頭部と帯状部が互いに係止し合う係止機構を、頭部と反対側の帯状部の自由端部分に縮小拡大可能な矢尻状の結合部を設けるとともに、この結合部と頭部間部分の帯状部をフィラメント状に形成する一方、前記頭部には、前記結合部の係止部分を形成し、この係止部分は、前記結合部の拡大時の外形寸法よりも小形で、縮小時の外形寸法よりも大形の穴を持つ固定歯にしたので、商品と各種タグ、あるいはセキュリティを要求される各種箱等を連結する際の作業が、現行の係止具と違和感がない状態での作業となるため、現行の係止具による作業効率を損なうことがない。【００２１】  第六の課題解決手段による作用効果は、第一ないし第五の課題解決手段いずれかの作用効果に加え、帯状部を二つ折りにしたので、折り返した帯状部同士の間の隙間を小さくすることができ、商品等を重ねたとき等に発生しやすい他の札等が係止具に絡みにくく、商品等の梱包時や陳列時に作業が楽になる。【００２２】  第七の課題解決手段による作用効果は、第二の課題解決手段の作用効果に加え、帯状部の頭部と反対側の部位に他の物品と協働して係止する係止機構を、フィラメント状にした帯状部と、この帯状部の頭部と反対側の部位に前記帯状部と交差する姿勢で設けた横棒と、この横棒が通過する他の物品とで形成した複数の係止具の頭部同士を連結するとともに、前記複数の帯状部を電気的に連通するアンテナ部とし、前記横棒が前記帯状部と並行状態の姿勢時に他の物品を貫通し、他の物品を貫通後に再び前記帯状部に対して前記横棒が交差する姿勢にすべく複数の前記各横棒を前記他の物品に間隔を設けて貫通させて、これら帯状部と横棒の取付関係を形成したので、広く普及している専用の工具を使用して、横棒をフィラメント状の帯状部と並行状態にして商品等の物品を貫通させると、横棒が、物品から抜け出たところで帯状部と交差する姿勢になり、横棒が、物品から抜けない状態になるため、物品に係止具を簡単に取り付けることができるという現行の係止具と同様の取扱ができること、換言すれば、極めて高速での取り付け作業を行うことができる上に、フィラメント状の帯状部はダイポール型のアンテナの役目を果たすので、ＩＣチップとシステム間の情報のやりとり、例えば、棚卸、バックヤードでの適正在庫管理、顧客が商品を手に取る等の顧客の商品への関心度、盗難防止、レジ作業の簡素化等の各種管理を行うことができるという高性能で高能率作業が可能となる。【００２３】  第八の課題解決手段による作用効果は、第一ないし第七の課題解決手段いずれかの作用効果に加え、係止具の外面を導電性材で蒸着することにより帯状部をアンテナ部としたので、係止具の成形後に金属蒸着作業を行うことができ成形が簡素化される結果、量産しやすく製造原価を低く抑えることが可能となる。【００２４】    第九の課題解決手段による作用効果は、第一ないし第七の課題解決手段いずれかの作用効果に加え、帯状部の材質を導電体とする一方、この帯状部を樹脂製の他の部分と一体的にしたので、電気抵抗を小さくでき弱い電波でも通信が可能となる。換言すれば、通信距離を長くすることができる。【００２５】    第十の課題解決手段による作用効果は、第一ないし第九の課題解決手段いずれかの作用効果に加え、アンテナ部を外的な静電気と絶縁するように構成したので、商品等に帯電する静電気によるＩＣチップの破損を防止でき、安心・安全な係止具を提供できる。【００２６】  以上のように第一の本発明は、現在普及している係止具や封緘具と同等の大きさの係止具で、しかもループ状にして使用しても高性能なＵＨＦ電波の受送信ができるので、これまでの通常の係止具や封緘具と同様に扱いながら各種管理を行うことができる等画期的な作用効果を奏する。
また、第二の本発明は、現在普及している係止具や封緘具と近似する大きさの係止具で、帯状部を高性能通信のアンテナにすることができるので、各種管理を、商品から離れた場所でしかも受送信の方向性を気にすることなく効果的に行うことも可能となる極めて高性能な係止具を提供できる。
さらに、第一又は第二の発明のいずれかの構成に加え、前記各構成部分を付加すれば、上述した第一又は第二の発明のいずれかの作用効果に加え、それぞれの作用効果を奏することができる。【００２７】  なお、本発明で使用する用語の意味を次のように定義する。ただし、ここで定義されていない用語は、一般的な意味を持つ用語として扱う。
係止具とは、商品等に取り付けるブランドタグやプライスタグ等の表示用係止具類の他、セキュリティを要求される封緘作業に使用するもの、テーマパーク等の入出場や乗り物券用の封緘具、病院等で識別用に使用する封緘具等を言う。【００２８】  帯状部とは、長手方向形状が直線的なもの、Ｕ字形、Ｖ字形にしたものやＳ字形にしたもの、断面形状が、円形、楕円形及び多角形にしたもの、製造上の形態で言うと、延伸したもの、未延伸のものを言う。【００２９】  ＩＣチップ部とは、磁界結合型の他、電界結合型等、ＲＦＩＤに使用するＩＣチップ部のすべてを含む。
【図面の簡単な説明】
【００３０】
【図１】本発明の実施例１を示す係止具の、頭部を断面した正面図
【図２】図１の平面図
【図３】図１の頭部部分のＡ−Ａ線拡大断面図
【図４】図１の頭部部分の拡大断面図
【図５】本発明の実施例１の係止具の使用状態を示す説明図
【図６】本発明の実施例２を示す係止具の、頭部を断面した正面視の説明図
【図７】図６の頭部部分のＢ−Ｂ線拡大断面図
【図８】本発明の実施例３を示す係止具の、頭部を断面した正面視の説明図
【図９】本発明の実施例４を示す係止具の、頭部を断面した正面図
【図１０】図９の平面図
【図１１】図９の頭部の拡大断面図
【図１２】図１１のＣ−Ｃ線の断面図
【図１３】図９〜図１２に示す係止具をループ状にしたときの頭部を断面した説明図
【図１４】図９〜図１３示す係止具の使用状態を示す説明図
【図１５】（ａ）本発明の実施例５を示す係止具の頭部を平面視断面した拡大説明図  （ｂ）本発明の実施例５を示す係止具の頭部を正面視断面した拡大説明図
【図１６】本発明の実施例６を示す係止具の平面図
【図１７】図１６の正面図
【図１８】図１６の頭部の平面視の拡大断面図
【図１９】図１７の頭部の拡大正面図
【図２０】図１６〜図１９に示す本発明の実施例６を示す係止具をループ状にし、断面した説明図
【図２１】本発明の実施例７を示す係止具の、頭部部分の拡大平面図（上記実施例図１８に相当）
【図２２】図２１のＤ−Ｄ線を展開した断面図
【図２３】本発明の実施例８を示す係止具の、一部を省略した平面図
【図２４】図２３の頭部を断面した正面図
【図２５】図２３に示す平面状態の頭部の拡大断面説明図
【図２６】図２５のＥ−Ｅ線の断面説明図
【図２７】図２３〜図２６に示す本発明の実施例８を示す係止具をループ状にし、一部を断面した説明図
【図２８】図２７のループ状態時の頭部群拡大断面説明図
【図２９】本発明の実施例８を示す係止具の使用状態を示す一部断面した説明図
【図３０】本発明の実施例９を示す係止具の一部省略した平面図
【図３１】図３０に示す係止具をループ状にし、一部を断面した説明図
【図３２】本発明の実施例１０を示す係止具の一部省略した正面図
【図３３】図３２の平面図
【図３４】図３３のＩＣチップ部を拡大断面した平面視の説明図
【図３５】図３４のＦ−Ｆ線の断面説明図
【図３６】本発明の実施例１１を示す平面図
【図３７】図３６頭部を断面した拡大平面図
【図３８】図３７のＧ−Ｇ線相当の結合状態を示す断面説明図
【図３９】本発明の上記各実施例に共通する帯状部の係止機構の他の実施例（実施例１２）を示す正面視の説明図
【図４０】図３９の平面視の説明図
【図４１】本発明の実施例１３を示す正面図
【図４２】図４１の使用状態を示す平面視の説明図
【発明を実施するための形態】
【実施例１】
【００３１】  係止具の最初の実施例について説明する。
図１〜図５において、頭部１ａからは、帯状部２ａを延設し、合成樹脂で一体的に形成している。この帯状部２ａはフィラメント状に形成する。この場合帯状部２ａは、当初少し太めのフィラメント状に短く作っておき、その長手方向に延伸することにより分子配向させながら細く長くする。
帯状部２ａ延伸させることによる利点は、ポリアミド、ポリプロピレン等の熱可塑性樹脂を原料として射出成形する場合、成形当初は帯状部２ａが太いため、樹脂の流動性が良く成形しやすい。また、延伸後は、分子配向により、帯状部２ａの長手方向の引張強度を大きくすることができる上に、曲げ方向には腰が弱く帯状部２ａとしての柔軟性を得ることができる。
なお、帯状部２ａは、上記の利点を得るためには延伸した方が望ましいが、強度や柔軟性が重要でない場合は、未延伸としても良い。【００３２】  次に、頭部１ａと帯状部が互いに係止し合う係止機構Ｋａについて図３，図４を中心に説明する。
この実施例では、帯状部２ａの自由端側に、縮小拡大可能な羽根３１ａを持つ矢尻状の結合部３ａを設けている。縮小拡大可能な羽根３１ａは、空洞部３２ａを形成することにより、羽根３１ａが内側に縮むことができるようにしている。また、結合部３ａの羽根３１ａは、拡大時は図１においてその先端側から頭部１ａ側に向かうほど広がる形状になっている。
また、頭部１ａには、結合部３ａの係止部分１１ａを形成している。係止部分１１ａの軸線は、直線状態時の帯状部２ａの軸線に並行するように頭部１ａ内に配置されている。この係止部分１１ａは、結合部３ａ（羽根３１ａ）の拡大時の外形寸法よりも小形で、縮小時の外形寸法よりも大形の穴１１１ａを持つ固定歯１１２ａにしている。【００３３】  一方、頭部１ａには、ＩＣチップ部４ａを配設している。これを詳述すれば、図３及び図４において、ＩＣチップ部４ａは、正面視Ｃ形状で電気的に切断した端部４１１ａ，４１２ａをもつ金属製のリードフレーム４１ａと端部４１１ａ，４１２ａに電気的接続をしたＩＣチップ４２ａとからなり、リードフレーム４１ａのＩＣチップ４ａ側及びその反対側には少し直線状態にした正面視直線部４１３ａ，４１４ａを設けている。
そして、リードフレーム４１ａの正面視直線部４１３ａは、図４に示すように頭部１ａの外壁近くになるようにしている。また、正面視直線部４１４ａは図４に示すように、穴１１１ａに嵌合する部分の結合部３ａの外周に接近するように配置している。【００３４】  このように頭部１ａにＩＣチップ部４ａを配設した係止具は、合成樹脂で成形してなされるが、ＩＣチップ部４ａは、この成形に際しあらかじめ金型にインサートしておくと頭部１ａ内に封止できるので好ましい。【００３５】  上記のように構成した頭部１ａにＩＣチップ部４ａを配設した係止具外周全体は、導電性材、例えば、アルミニウム，金，金パラジウム，白金パラジウム，カーボン，クロム等を真空中において気化させて、その原子や分子を係止具外周全体に飛ばし、その飛ばされた原子や分子が係止具外周全体に到達すると、冷却されてやがて皮膜化する、いわゆる導電性の金属等の蒸着を施した導電膜５１ａを係止具外周全体に施してアンテナ部５ａを形成している。
このアンテナ部５ａの長さは、所望のＵＨＦ電波帯の波長の１／２波長を全体の長さにすることを基本としている。そして、アンテナ部５ａの長さのさらに１／２、すなわち前記波長の約１／４の部分に導電膜５１ａが形成されない部分である非導電部分５２ａを設けることにより開放端部５３ａを形成している（図１，図５参照）。これは、厳密に１／４波長ではインピーダンスが誘導性となる（正の虚数成分を持つ）ため給電線とのインピーダンス整合が難しくなるので、１／４波長よりも数％短縮させてインピーダンスを純抵抗に合わせることも意味している。
なお、この実施例では、非導電部分５２ａは導電性材の蒸着時にマスキングすることにより導電膜５１ａが形成されないようにしている。【００３６】  実験により、頭部１ａに結合部３ａをはめ込み帯状部２ａをループ状にしたときのアンテナ部５ａの中間位置に非導電部分５２ａを設けてダイポールアンテナとし、非導電部分５２ａ長さのみを変化させたときの通信距離を測定した。その結果を表１に示す。
【表１】
2014154134.tif 000003
上記表１に記載したように、ループ状のアンテナ部５ａの非導電部分５２ａの長さを５ｍｍ〜２５ｍｍまで５ｍｍ間隔で変化させた場合、非導電部分５２ａの長さが長いほど通信距離が伸び、非導電部分５２ａの長さが２５ｍｍの時にはアンテナ部を直線的にしたダイポールアンテナを１００％とした場合、通信距離の減衰率が３０％程度になることが判明した。
これは、ループ状のアンテナ部５ａの非導電部分５２ａがない場合は、ＩＣチップ部４ａの左右のアンテナ部５ａの電位が正負で打ち消し合い、アンテナ部５ａがアンテナの役目を果たさないのに対して、アンテナ部５ａをループ状にしてもアンテナ部５ａに開放端部５３ａがある場合（この実施例では、導電性材の蒸着時にマスキングすることにより導電膜５１ａが形成されないようにして非導電部分５２ａを形成している）は、アンテナ部５ａがアンテナの役目を果たすので、これまでは、所望の通信距離を得るために、リーダラーター側で出力の調整をしたり受信アンテナの向きを変える等かなり微妙な調整を長期間かけて行っていたのにそれをする必要がなく、用途に応じて非導電部分５２ａの長さを変えるだけで所望の通信距離を簡単に得ることができ、顧客等の要望に対して迅速に対応できる作用効果がある。【００３７】  次に図１，図４，図５を参照しながら、係止機構Ｋａの作用について説明する。
先ず、頭部１ａと帯状部２ａが互いに係止し合う係止機構Ｋａの作用から説明すれば、帯状部２ａを撓ませて結合部３ａを各図のように頭部１ａの穴１１１ａに差し込む。結合部３ａを穴１１１ａに差し込むと、結合部３ａの羽根３１ａが穴１１１ａの大きさに合わせて縮み、羽根３１ａが穴１１１ａをくぐり抜けたところで元の位置に復帰して、固定歯１１２ａにより逆戻りを防止する。
すなわち、係止具の頭部１ａと結合部３ａとの取り付けが、単に差し込み作業だけで行えるので、図５に示すように、商品ＧにタグＰを取り付けする際、その作業性が極めて良くなる。
なお、この実施例では、結合部３ａを縮小拡大可能にし、頭部１ａの係止部分１１１ａを固定歯１１２ａにしたが、図示はしないが、例えば、上記実施例に示すような結合部３ａの空洞部３２ａをなくして無垢状態とし、頭部の係止部分を、上記実施の形態で言う固定歯１１２ａ部分にラジアル方向の溝をつけたり、若しくは固定歯１１２ａ部分を薄くしたりして可撓性とすることによって、この固定歯１１２ａ部分を縮小拡大可能にしてもよい。
上述のように、頭部１ａと帯状部２ａが互いに係止し合う係止機構Ｋａが係止状態になると、帯状部２ａが図１，図５に示すようにループ状になる。【００３８】  次にＩＣチップ部４ａとアンテナ部５ａによるＲＦＩＤ作用について説明する。
係止具の外周面には導電性材の蒸着による導電膜５１ａがあるが、頭部１ａと結合部３ａの結合状態では頭部１ａ内の係止部分１１ａ、すなわち穴１１１ａに差込まれた結合部３ａの穴１１１ａ周りの結合部３ａ外周の導電膜５１ａとリードフレーム４１ａの正面視直線部４１４ａとの間に発生する磁界によりアンテナ部５ａとリードフレーム４１ａとが電気的結合状態となる。
一方、リードフレーム４１ａの正面視直線部分４１３ａと頭部１ａ外周の導電膜５１ａとの間にも磁界が発生しアンテナ部５ａとリードフレーム４１ａとが電気的結合状態となる。
すなわち、非導電部分５２ａと結合部３ａ間の帯状部２ａ，非導電部分５２ａと頭部１ａ間の帯状部２ａとは波長の１／４よりも少し短いアンテナ部５ａとなっていて、上述したように、それぞれのアンテナ部５ａとリードフレーム４１ａとが電気的結合状態となる。
そして、ループ状にしたにもかかわらず非導電部分５２ａ（開放端部５３ａ）の存在により２本のアンテナ部５ａとＩＣチップ部４ａは電気的結合状態となり、アンテナ部５ａ、換言すればループ状の帯状部２ａは通信距離が長いダイポールアンテナの役目を果たす。
なお、結合部３ａに導電膜５１ａを存在させないようにすれば、結合部３ａと非導電部分５２ａ間の帯状部２ａはアンテナの役目を果たさず、頭部１ａの外周及び非導電部分５２ａと頭部１ａ間の帯状部２ａのアンテナ５４ａのみがアンテナの役目を果たすので、帯状部２ａを通信距離の短いモノポールアンテナとすることができる等、この点でも用途に応じて顧客の選択の幅を広げることができる。
上記いずれの場合でも、上述した磁界を発生させるには当然ながらリードフレーム４１ａと導電膜５１ａの距離はできるだけゼロに近づけたほうが良い。【００３９】    なお、導電膜５１ａが直接衣類等の商品に触れると、商品に帯電する静電気により、ＩＣチップ４２ａに損傷を与えることが考えられるので、この場合は、導電膜５１ａを、例えばエナメル等の絶縁物で覆うようにすれば静電気対策として有効である。
この場合、導電膜５１ａのエナメルの皮膜とリードフレーム４１ａを接触させれば、実質的にリードフレーム４１ａは頭部１ａの外周部分に極めて近接させることになるので、電気的にも製造もし易くなる利点がある。【００４０】  以上のように、実施例１の係止具では、現在流通している近似形態の係止具にＵＨＦ帯の電波に対応するＩＣチップ部４ａを樹脂封止するとともに、帯状部２ａの非導電部分５２ａ（図１，図５の開放端部５３ａ間）以外全部外周と頭部１ａ全部の外周に上述した導電性材による蒸着を行って導電膜５１ａを設けたことにより、帯状部２ａを、前記ＩＣチップ部４ａを動作させるためのＵＨＦ帯の電波を受送信するアンテナ部５ａにし、アンテナ部５ａと前記ＩＣチップ部４ａとの位置関係をモノポール型またはダイポール型電気的結合関係にした。
したがって、現在普及している係止具や封緘具の商品への取付作業性と殆んど変わりがない作業で商品等に取り付けることができる上、小型化により陳列デザインに影響がない状態にすることができる状態（この実施例では帯状部をループ状にした状態）で、ＩＣチップとシステム間の情報のやりとり、例えば、棚卸、バックヤードでの適正在庫管理、顧客が商品を手に取る等の顧客の商品への関心度、盗難防止、レジ作業の簡素化等の各種管理を行うことができる。
【実施例２】
【００４１】  次に図６，図７に示す係止具の第二の実施例について説明する。
帯状部２ｂの自由端側に、縮小拡大可能な羽根３１ｂを持つ矢尻状の結合部３ｂを設けていて、縮小拡大可能な羽根３１ｂは、空洞部３２ｂを形成することにより、羽根３１ｂが内側に縮むことができるようにしていて、結合部３ｂの羽根３１ｂは、拡大時は図６においてその先端側から頭部１ｂ側に向かうほど広がる形状になっている点、頭部１ｂには、結合部３ｂの係止部分１１ｂを形成していて、係止部分１１ｂの軸線は、直線状態時の帯状部２ｂの軸線に並行するように頭部１ｂ内に配置されており、この係止部分１１ｂは、結合部３ｂ（羽根３１ｂ）の拡大時の外形寸法よりも小形で、縮小時の外形寸法よりも大形の穴１１１ｂを持つ固定歯１１２ｂにしている点、及び頭部１ｂには、ＩＣチップ部４ｂを配設していて、ＩＣチップ部４ｂは、正面視Ｃ形状で電気的に切断した端部４１１ｂ，４１２ｂをもつ金属製のリードフレーム４１ｂと端部４１１ｂ，４１２ｂに電気的接続をしたＩＣチップ４２ｂとからなり、リードフレーム４１ｂのＩＣチップ４ｂ側及びその反対側には少し直線状態にした正面視直線部４１３ｂ，４１４ｂを設けている点は実施例１と同じである。【００４２】  次に第一実施例との相違点を説明する。
帯状部２ｂが、金属、炭素繊維若しくは撚り電線等からなる導電体５１ｂとし、頭部１ｂから結合部３ｂに至るまで図６に示すようにまず貫通させている。この際、穴１１１ｂとＩＣチップ部４ｂを挟んだ反対側の頭部１ｂ内に導電体５１ｂが位置するようにしている。
また、アンテナ５ｂの長さが波長の１／４の部分に非導電部分５２ｂを設ける。この非導電部分５２ｂは、樹脂製のブロック５２１ｂと、このブロック５２１ｂから外にはみ出すように配置したはみ出し導電体５１３ｂとから形成し、頭部１ｂ，ブロック５２１ｂ及び結合部３ｂを、導電体５１ｂをインサートした上で同時に樹脂成形し、成形後にブロック５２１ｂからはみ出し導電体５１３ｂを切断排除して電気的な非導電部分５２ｂとなし開放端部５３ｂを形成する。これは、厳密に１／４波長ではインピーダンスが誘導性となる（正の虚数成分を持つ）ため給電線とのインピーダンス整合が難しくなるので、１／４波長よりも数％短縮させてインピーダンスを純抵抗に合わせることも意味している。
なお、この導電体５１ｂの外周はあらかじめ電気的絶縁処理を施しておく。【００４３】  なお、図６から明らかなように、導電体５１ｂは係止具の頭部１ｂから結合部３ｂに至るまで成形時に貫通させているのは、樹脂で頭部１ｂと結合部３ｂを成形するにあたって、コイル状の導電体５１ｂを自動的に巻き出し、金型のパーティング面に沿うようにしておき、金型の頭部１ｂを形成するキャビティと結合部３ｂを形成するキャビティ内の所定の位置を通るようにしておけば１本の長い導電体５１ｂに連続的に多数の係止具を成形でき、この成形終了後に導電体５１ｂを係止具毎に切断すれば良いことになる。
そして、導電体５１ｂを切断した係止具の切断面５１１ｂ等は、商品と接触した場合、特に衣類等においては静電気が発生することが考えられるので、静電気によるＩＣチップ４ｂの損傷を防止するために電気的絶縁処理を行うのがベストであるが、製作工数削減のためにこの実施例では、導電体５１ｂの切断面５１１ｂの周辺に凸部１１４ｂ（ブロック５２１ｂにあっては凸部５２２ｂ）を形成し導電体５１ｂの上記各切断面が直接商品等に接触するのを防止している。【００４４】  一方、結合部３ｂの先端部分においても導電体５１ｂを切断するので、この部分も電気的絶縁処理が必要となるが、この実施例では、結合部３ｂの切断面５１２ｂは、結合部３ｂを頭部１ｂに差込んで使用するので、図６から判るように結合部３ｂの先端の切断面５１２ｂが頭部１ｂから突出しないようにして、導電体５１ｂの切断面５１２ｂが直接商品等に接触するのを防止している。【００４５】    以上のように、実施例２の係止具では、帯状部２ｂの材質を導電体とする一方、この帯状部２ｂを樹脂製の他の部分と一体的にしたこと、非導電部分５２ｂは、樹脂製のブロック５２１ｂと、このブロック５２１ｂから外にはみ出すように配置したはみ出し導電体５１３ｂとから形成し、頭部１ｂ，ブロック５２１ｂ及び結合部３ｂを、導電体５１ｂをインサートした上で同時に樹脂成形し、成形後にブロック５２１ｂからはみ出し導電体５１３ｂを切断排除して電気的な非導電部分５２ｂとなすことで、アンテナ部５ｂである導電体５１３ｂに開放端部を形成したので、帯状部２ｂを、前記ＩＣチップ部４ｂを動作させるためのＵＨＦ帯の電波を受送信するアンテナ部５ｂにし、アンテナ部５ｂと前記ＩＣチップ部４ｂとの位置関係をダイポール型電気的結合関係にした上で電気抵抗を小さくでき弱い電波でも通信が可能となる。換言すれば、通信距離を長くすることができる作用効果がある。
【実施例３】
【００４６】  続いてに図８に示す係止具の第三の実施例について説明する。
この実施例は、実施例１（図１〜図５）の係止具の頭部１ａのＩＣチップ部４ａを除く構成部分をそのまま受け継いだ頭部１ｃとし、この頭部１ｃを図８に示すＹ−Ｙ線を基準に軸対象に配置して頭部１ｃ同士を連結したものである。
頭部１ｃには、量産成形に使用する金型構成上必要な係止部分１１ｃを形成するための窓１１５ｃを設けている。
そして、帯状部２ｃは、連結した左右の頭部１ｃからそれぞれ延設してそれぞれの帯状部２ｃの自由端部分に結合部３ｃを形成している。
一方、ＩＣチップ部４ｃは、正面視Ｃ形状で電気的に切断した端部４１１ｃ，４１２ｃをもち、かつ端部４１１ｃ，４１２ｃの反対側に直線状態にした正面視直線部４１３ｃ，４１４ｃをもつ金属製のリードフレーム４１ｃと、端部４１１ｃ，４１２ｃ及び正面直線部４１４ｃに電気的接続をしたＩＣチップ４２ｃとからなる。
そして、リードフレーム４１ｃの正面視直線部４１３ｃは、図８に示すように頭部１ｃの外壁近くになるようにしている。また、正面視直線部４１４ｃは図８に示すように、穴１１１ｃに嵌合する部分の結合部３ｃの外周に接近するように配置している。【００４７】  上記のように構成した係止具外周全体は、導電性材、例えば、アルミニウム，金，金パラジウム，白金パラジウム，カーボン，クロム等を真空中において気化させて、その原子や分子を係止具外周全体に飛ばし、その飛ばされた原子や分子が係止具外周全体に到達すると、冷却されてやがて皮膜化する、いわゆる導電性の金属等の蒸着を施した導電膜５１ｃを係止具外周全体に施してアンテナ部５ｃを形成している。
このアンテナ部５ｃの長さは、所望のＵＨＦ電波帯の波長の１／２波長を全体の長さにすることを基本としている。そして、アンテナ部５ｃの長さのさらに１／２、すなわち前記波長の約１／４の部分に導電膜５１ｃが形成されない部分である非導電部分５２ｃを設けることにより開放端部５３ｃを形成している。これは、厳密に１／４波長ではインピーダンスが誘導性となる（正の虚数成分を持つ）ため給電線とのインピーダンス整合が難しくなるので、１／４波長よりも数％短縮させてインピーダンスを純抵抗に合わせることも意味している。
なお、この実施例では、非導電部分５２ｃは導電性材の蒸着時にマスキングすることにより導電膜５１ｃが形成されないようにしている。【００４８】  通信距離の非導電部分５２ｃの長さ依存性については、上記表１に示すとおり実験により確認しており、その結果は、この実施例でも適用できる。【００４９】  また、係止機構Ｋｃの作用は、段落「００３７」で説明した作用と同じなので、ここでの説明は省略するが、図８に示すようにそれぞれの帯状部２ｃの延設基端側の頭部１ｃの穴１１１ｃにそれぞれの帯状部２ｃの結合部３ｃを差込めば図８に示すようなループを形成できる。
なお、帯状部２ｃは、図８の作図上の問題で延設基端側の帯状部２ｃと結合部３ｃ側の帯状部３ｃは平行に作図しているが、仮想線で示すように実際には大きな円弧状（図８に示す仮想線の円弧はスペースに限りがあるため小さく表示）になることを付記する。
さらに、帯状部の腰を強くすれば、ループ状にしたときの円弧（図８の仮想線）は大きく形成できる。これは、次の段落「００５０」で説明する帯状部のアンテナ作用と大きな関係がある。【００５０】  続いてＩＣチップ部４ｃとアンテナ部５ｃによるＲＦＩＤ作用について説明する。
係止具の外周面には導電性材の蒸着による導電膜５１ｃがあるが、頭部１ｃと結合部３ｃの結合状態では頭部１ｃ内の係止部分１１ｃ、すなわち穴１１１ｃに差込まれた結合部３ｃの穴１１１ｃ周りの結合部３ｃ外周の導電膜５１ｃとリードフレーム４１ｃの正面視直線部４１４ｃとの間に発生する磁界によりアンテナ部５ｃとリードフレーム４１ｃとが電気的結合状態となる。この作用は、図８に示すＹ−Ｙ線を基準に左右の係止具に同じように作用する。
一方、リードフレーム４１ｃの正面視直線部分４１３ｃと頭部１ｃ外周の導電膜５１ｃとの間にも磁界が発生しアンテナ部５ｃとリードフレーム４１ｃとが電気的結合状態となる。この作用は、図８に示すＹ−Ｙ線を基準に左右の係止具に同じように作用する。
すなわち、図８に示す左右のアンテナ部５ｃは、非導電部分５２ｃと結合部３ｃ間の帯状部２ｃ，非導電部分５２ｃと頭部１ｃ間の帯状部２ｃとは波長の１／４よりも少し短いアンテナ部５ｃとなっていて、上述したように、それぞれのアンテナ部５ｃとリードフレーム４１ｃとが電気的結合状態となる。
そして、ループ状にしたにもかかわらず非導電部分５２ｃ（開放端部５３ｃ）の存在により２本のアンテナ部５ｃとＩＣチップ部４ｃは電気的結合状態となり、アンテナ部５ｃ、換言すれば左右のループ状の帯状部２ｃはそれぞれ通信距離が長いダイポールアンテナの役目を果たすが、帯状部２ｃのループ状にしたときの円弧（図８の仮想線）が大きくなれば、帯状部２ｃの頭部１ｃからの延設基端側と結合部３ｃ側とのアンテナ部５ｃの角度が９０度に近い状態となり、クロスダイポールアンテナの役目も果たす。
なお、ＩＣチップ部４ｃを実施例１のＩＣチップ部４ａと同じにするとともに、結合部３ｃに導電膜５１ｃを存在させないようにすれば、結合部３ｃと非導電部分５２ｃ間の帯状部２ｃはアンテナの役目を果たさず、頭部１ｃの外周及び非導電部分５２ｃと頭部１ｃ間の帯状部２ｃのアンテナ５４ｃのみがアンテナの役目を果たすので、帯状部２ｃをダイポールアンテナとすることができる等、この点でも顧客の選択の幅を広げることができる。
上記いずれの場合でも、上述した磁界を発生させるには当然ながらリードフレーム４１ｃと導電膜５１ｃの距離はできるだけゼロに近づけたほうが良い。【００５１】    なお、導電膜５１ｃが直接衣類等の商品に触れると、商品に帯電する静電気により、ＩＣチップ４２ｃに損傷を与えることが考えられるので、この場合は、導電膜５１ｃを、例えばエナメル等の絶縁物で覆うようにすれば静電気対策として有効である。
この場合、導電膜５１ｃのエナメルの皮膜とリードフレーム４１ｃを接触させれば、実質的にリードフレーム４１ｃは頭部１ｃの外周部分に極めて近接させることになるので、電気的にも製造もし易くなる利点がある。【００５２】  以上のように、実施例３の係止具では、現在流通している近似形態の係止具にＵＨＦ帯の電波に対応するＩＣチップ部４ｃを樹脂封止するとともに、図８に示すようにＹ−Ｙ線を基準に左右対称に帯状部２ｃを配置し、これらの帯状部２ｃの非導電部分５２ｃ以外全部外周と頭部１ｃ全部の外周に上述した導電性材による蒸着を行って導電膜５１ｃを設けたことにより、各帯状部２ｃを、前記ＩＣチップ部４ｃを動作させるためのＵＨＦ帯の電波を受送信する各アンテナ部５ｃにし、各アンテナ部５ｃと前記ＩＣチップ部４との位置関係をダイポール型またはクロスダイポール型電気的結合関係にした。
したがって、現在普及している係止具や封緘具と近似する大きさの係止具で、帯状部を高性能通信のアンテナにすることができる。加えて取付作業性を従来と殆んど変わりがない作業で商品等に取り付けることができ、しかも小型化により陳列デザインに影響がない状態で無線による長距離通信や受送信の方向性の範囲を拡大することができるので、ＩＣチップとシステム間の情報のやりとり、例えば、棚卸、バックヤードでの適正在庫管理、顧客が商品を手に取る等の顧客の商品への関心度、盗難防止、レジ作業の簡素化等の各種管理を、商品から離れた場所でしかも受送信の方向性を気にすることなく効果的に行うことも可能となる極めて高性能な係止具を提供できる。
【実施例４】
【００５３】  続いてに図９〜図１４に示す係止具の第四の実施例について説明する。
図９〜図１４において、頭部１ｄからは、帯状部２ｄを延設し、合成樹脂で一体的に形成している。この帯状部２ｄはフィラメント状に形成する。この場合帯状部２ｄは、当初少し太めのフィラメント状に短く作っておき、その長手方向に延伸することにより分子配向させながら細く長くする。この延伸させることによる利点は、ポリアミド、ポリプロピレン等の熱可塑性樹脂を原料として射出成形する場合、成形当初は帯状部２ｄが太いため、樹脂の流動性が良く成形しやすい。また、延伸後は、分子配向により、帯状部２ｄの長手方向の引張強度を大きくすることができる上に、曲げ方向には腰が弱く帯状部２ｄとしての柔軟性を得ることができる。なお、帯状部２ｄは、上記の利点を得るためには延伸した方が望ましいが、強度や柔軟性が重要でない場合は、未延伸としても良い。【００５４】  次に、頭部１ｄと帯状部２ｄが互いに係止し合う係止機構Ｋｄについて図１１を中心に説明する。この実施例では、帯状部２ｄの自由端側に、縮小拡大可能な羽根３１ｄを持つ矢尻状の結合部３ｄを設けている。縮小拡大可能な羽根３１ｄは、空洞部３２ｄを形成することにより、羽根３１ｄが内側に縮むことができるようにしている。また、結合部３ｄの羽根３１ｄは、拡大時は図１０においてその先端側から頭部１ｄ側に向かうほど広がる形状になっている。
また、頭部１ｄには、結合部３ｄの係止部分１１ｄを形成している。この係止部分１１ｄは、結合部３ｄ（羽根３１ｄ）の拡大時の外形寸法よりも小形で、縮小時の外形寸法よりも大形の穴１１１ｄを持つ固定歯１１２ｄにしている。【００５５】  一方、頭部１ｄには、ＩＣチップ部４ｄを配設している。これを詳述すれば、図１１及び図１２において、ＩＣチップ部４ｄは、正面視Ｃ形状で電気的に切断した端部４１１ｄ，４１２ｄをもつ金属製のリードフレーム４１ｄと端部４１１ｄ，４１２ｄに電気的接続をしたＩＣチップ４２ｄとからなり、リードフレーム４１ｄのＩＣチップ４ｄの反対側は少し直線状態にした正面視直線部４１３ｄを設けている。
そして、リードフレーム４１ｄの正面視直線部４１３ｄは、図１１に示すように頭部１ｄの外壁近くになるようにしている。また、正面視直線部４１３ｄは図１２に示すように、平面視円弧状４１３１ｄにして頭部１ｄの円弧状の外周に沿うように延長している。
一方、ＩＣチップ部４ｄ側のリードフレーム４１ｄにも正面直線部４１４ｄを設けている。【００５６】  このように頭部１ｄにＩＣチップ部４ｄを配設した係止具は、合成樹脂で成形してなされるが、ＩＣチップ部４ｄは、この成形に際しあらかじめ金型にインサートしておくと頭部１ｄ内に封止できるので好ましい。【００５７】  上記のように構成した頭部１ｄにＩＣチップ部４ｄを配設した係止具外周全体は、導電性材、例えば、アルミニウム，金，金パラジウム，白金パラジウム，カーボン，クロム等を真空中において気化させて、その原子や分子を係止具外周全体に飛ばし、その飛ばされた原子や分子が係止具外周全体に到達すると、冷却されてやがて皮膜化する、いわゆる導電性の金属等の蒸着を施した導電膜５１ｄを係止具外周全体に施してアンテナ部５ｄを形成している。
このアンテナ部５ｄの長さは、所望のＵＨＦ電波帯の波長の１／２波長を全体の長さにすることを基本としている。そして、アンテナ部５ｄの長さのさらに１／２、すなわち前記波長の約１／４の部分に導電膜が形成されない部分である非導電部分５２ｄを設けている。これは、厳密に１／４波長ではインピーダンスが誘導性となる（正の虚数成分を持つ）ため給電線とのインピーダンス整合が難しくなるので、１／４波長よりも数％短縮させてインピーダンスを純抵抗に合わせることも意味している。
なお、この実施例では、非導電部分５２ｄは導電性材の蒸着時にマスキングすることにより導電膜が形成されないようにして、開放端部５３ｄを形成している。【００５８】    通信距離の非導電部分５１ｄの長さ依存性については、上記表１に示すとおり実験により確認しており、その結果は、この実施例でも適用できるので、ここでの説明は省略する。【００５９】  次に図１３を中心に図１１、図１２を参照しながら、係止機構Ｋｄの作用について説明する。
先ず、頭部１ｄと帯状部２ｄが互いに係止し合う係止機構Ｋｄの作用から説明すれば、帯状部２ｄを撓ませて結合部３ｄを図１３のように頭部１ｄの穴１１１ｄに差し込む。結合部３ｄを穴１１１ｄに差し込むと、結合部３ｄの羽根３１ｄが穴１１１ｄの大きさに合わせて縮み、羽根３１ｄが穴１１１ｄをくぐり抜けたところで元の位置に復帰して、固定歯１１２ｄにより逆戻りを防止する。
すなわち、係止具の頭部１ｄと結合部３ｄとの取り付けが、単に差し込み作業だけで行えるので、図１４に示すように、商品ＧにタグＰを取り付けする際、その作業性が極めて良くなる。
なお、この実施例では、結合部３ｄを縮小拡大可能にし、頭部１ｄの係止部分１１１ｄを固定歯１１２ｄにしたが、図示はしないが、例えば、上記実施例に示すような結合部３ｄの空洞部３２ｄをなくして無垢状態とし、頭部１ｄの係止部分１１ｄを、上記実施の形態で言う固定歯１１２ｄ部分にラジアル方向の溝をつけたり、若しくは固定歯１１２ｄ部分を薄くしたりして可撓性とすることによって、この固定歯１１２ｄ部分を縮小拡大可能にしてもよい。
上述のように、頭部１ｄと帯状部２ｄが互いに係止し合う係止機構Ｋｄが係止状態になると、帯状部２ｄが図１３，図１４に示すようにループ状になる。【００６０】  次にＩＣチップ部４ｄとアンテナ部５ｄによるＲＦＩＤ作用について説明する。
係止具の外周面には導電性材の蒸着による導電膜５１ｄがあるが、頭部１ｄと結合部３ｄの結合状態では頭部１ｄ内の係止部分１１ｄ、すなわち穴１１１ｄ，固定歯１１２ｄ及びその周辺の内壁１１３ｄには導電膜５１ｄを存在させていないので、頭部１ｄと帯状部２ｄが互いに係止し合う係止機構Ｋｄの係止状態では、結合部３ｄと頭部１ｄ内は磁界結合による電気的導通状態となっていて、非導電部分５２ｄと結合部３ｄ間の帯状部２ｄは波長の１／４よりも少し短いアンテナ５ｄとなるとともに、頭部１ｄの外周及び非導電部分５２ｄと頭部１ｄ間の帯状部２ｄは全体に導通状態にあるため、給電点であるＩＣチップ部４ｄのリードフレーム４１ｄは、頭部１ｄの外周部分に極めて近接（可能な限り零に近づけるようにするのが良い）していることで、アンテナ部５ｄとリードフレーム４１ｄとの周辺に磁場が形成され、この間の帯状部２ｄは波長の１／４よりも少し短いアンテナ５ｄとなってダイポールアンテナの役目を果たす。
なお、結合部３ｄに導電膜を存在させないようにすれば、結合部３ｄ側のアンテナ５ｄはアンテナの役目を果たさず、頭部１ｄの外周及び非導電部分５２ｄと頭部１ｄ間の帯状部２ｄのアンテナ５ｄのみがアンテナの役目を果たすので、帯状部２ｄをモノポールアンテナとすることができる。【００６１】  なお、導電膜５１ｄが直接衣類等の商品に触れると、商品に帯電する静電気により、ＩＣチップ部４２ｄに損傷を与えることが考えられるので、この場合は、導電膜５１ｄを、例えばエナメル等の絶縁物で覆うようにすれば静電気対策として有効である。
この場合、導電膜５１ｄのエナメルの皮膜とリードフレーム４１ｄを接触させれば、実質的にリードフレーム４１ｄは頭部１ｄの外周部分に極めて近接させることになるので、電気的にも製造もし易くなる利点がある。【００６２】  以上のように、実施例４の係止具では、現在流通している近似形態の係止具にＵＨＦ帯の電波に対応するＩＣチップ部４ｄを樹脂封止するとともに、頭部１ｄ内の係止部分１１ｄを除く係止具外周全体に導電膜５１ｄ、換言すれば開放端部５３ｄを設けることにより、帯状部２ｄを、前記ＩＣチップ部４ｄを動作させるためのＵＨＦ帯の電波を受送信するアンテナ部５ｄにし、アンテナ部５ｄと前記ＩＣチップ部４ｄとの位置関係をモノポール型またはダイポール型電気的結合関係にした。
したがって、現在普及している係止具や封緘具の商品への取付作業性と殆んど変わりがない作業で商品等に取り付けることができ、しかも小型化により陳列デザインに影響がない状態にすることができる状態で、ＩＣチップとシステム間の情報のやりとり、例えば、棚卸、バックヤードでの適正在庫管理、顧客が商品を手に取る等の顧客の商品への関心度、盗難防止、レジ作業の簡素化等の各種管理を行うことができる。
【実施例５】
【００６３】  係止具の第五の実施例について説明する。
この実施例は、ＩＣチップ部４ｅを頭部側の係止機構と兼用にした点に特徴があるので、この点を中心に説明するが、ここで説明のない部分は、実施例４（図９〜図１４）と同じであることを付記する。
図１５（ａ），（ｂ）において、ＩＣチップ部４ｅは、平面視断面がＣ形のリードフレーム４１ｅと、このリードフレーム４１ｅの端部４１１ｅ，４１２ｅに電気的接続をしたＩＣチップ４２ｅとで基本形成している。
リードフレーム４１ｅは、このリードフレーム４１ｅの中央の穴を実施例４の頭部１ｄの穴１１１ｄと同寸法の穴１１１ｅにし、リードフレーム４１ｅの穴１１１ｅの外周に設けた鍔４１３ｅ及びこの鍔４１３ｅに設けた樹脂でリードフレーム４１ｅを支えるための多数の支持穴４１４ｅとを備えている。
このように形成したＩＣチップ部４ｅは、図１５（ｂ）に示すように、頭部１ｅを樹脂で成形する際、頭部１ｅ内のほぼ中央になるように配設する。これは、頭部１ｅを成形する際、図示しない金型であらかじめＩＣチップ部４ｅを挟んで位置決めしておきインサート成形する場合に有効である。
このようにＩＣチップ部４ｅを配設した理由は、実施例４の頭部１ｄの穴１１１ｄに代わりリードフレーム４１ｅが頭部１ｅ側の係止機構Ｋｅと兼用にすることにある。【００６４】  上述したように、頭部１ｅ内の内壁１１３ｅを除く係止具全体を導電性の金属等の蒸着を施した導電膜５１ｅを係止具外周全体に施してアンテナ部５ｅを形成している。
したがって、係止具をループ状にしたときに、リードフレーム４１ｅの鍔４１３ｅが導電膜５１ｅと接近しているため、導電膜５１ｅと鍔４１３ｅには磁界結合による電気的結合が成立し、非導電部分５２ｅと頭部１ｅ間の帯状部２ｅが、モノポールアンテナの役目を果たす。【００６５】    以上のようにこの実施例の場合は、ＩＣチップ部４ｅを、前記頭部１ｅ側の係止機構Ｋｅと兼用にしたので頭部１ｅを小型化でき、係止具とＵＨＦタグとを兼用にしたことによる係止具の小型化をさらに促進させることができる。
また、ＩＣチップ部４ｅのリードフレーム４１ｅにある程度剛性を持たせれば、上述のように係止具を成形する際に、ＩＣチップ部４ｅを金型で挟み込むことができ、成形しやすいので安価に提供できる利点もある。
【実施例６】
【００６６】  係止具の第六の実施例について説明する。
図１６〜図２０において、頭部１ｆからは、帯状部２ｆを延設している点、頭部１ｆと帯状部２ｆが互いに係止し合う係止機構Ｋｆ（図２０）が、帯状部２ｆの自由端側に、縮小拡大可能な羽根３１ｆを持つ矢尻状の結合部３ｆを設けていて、縮小拡大可能な羽根３１ｆは、空洞部３２ｆを形成することにより、羽根３１ｆが内側に縮むことができるようにしており、また、結合部３ｆの羽根３１ｆは、拡大時はその先端側から頭部１ｆ側に向かうほど広がる形状になっている点、さらに、頭部１ｆには、結合部３ｆの係止部分１１ｆを形成していて、係止部分１１ｆは、結合部３ｆ（羽根３１ｆ）の拡大時の外形寸法よりも小形で、縮小時の外形寸法よりも大形の穴１１１ｆを持つ固定歯１１２ｆにしている点、頭部１ｆにＩＣチップ部４ｆを配設し、ＩＣチップ部４ｆが、正面視Ｃ形状で電気的に切断した端部４１１ｆ，４１２ｆをもつ金属製のリードフレーム４１ｆと端部４１１ｆ，４１２ｆに電気的接続をしたＩＣチップ４２ｆとからなるようにした点は第四実施例（図９〜図１４）と同じである。【００６７】  次に第四実施例との相違点を説明する。
帯状部２ｆが、金属、炭素繊維若しくは撚り電線等からなる導電体５１ｆとし、頭部１ｆから結合部３ｆに至るまで図１６に示すようにまず貫通させている。この際、頭部１ｆの係止部分１１ｆの穴１１１ｆの外周と少し間隔を設けて穴１１１ｆ外周に沿うように導電体５１ｆを配置している。
また、アンテナ５ｆの長さが波長の１／４の部分に非導電部分５２ｆを設ける。この非導電部分５２ｆは、樹脂製のブロック５２１ｆと、このブロック５２１ｆから外にはみ出すように配置したはみ出し導電体５１３ｆとから形成し、頭部１ｆ，ブロック５２１ｆ及び結合部３ｆを、導電体５１ｆをインサートした上で同時に樹脂成形し、成形後にブロック５２１ｆからはみ出し導電体５１３ｆを切断排除して電気的な非導電部分５２ｆとなす。これは、厳密に１／４波長ではインピーダンスが誘導性となる（正の虚数成分を持つ）ため給電線とのインピーダンス整合が難しくなるので、１／４波長よりも数％短縮させてインピーダンスを純抵抗に合わせることも意味している。
なお、この導電体５１ｂの外周はあらかじめ電気的絶縁処理を施しておく。
一方、頭部１ｆ内に配置したＩＣチップ部４ｆのリードフレーム４１ｆには、導電体５１ｆの円弧部分に沿う正面視円弧部４１３ｆを形成して、受送信時に電場を効率的に形成できるようにしている。【００６８】  なお、図１６〜図１８から明らかなように、導電体５１ｆは係止具の頭部１ｆから結合部３ｆに至るまで成形時に貫通させているのは、樹脂で頭部１ｆとブロック５２１ｆ及び結合部３ｆを成形するにあたって、コイル状の導電体５１ｆを自動的に巻き出し、金型のパーティング面に沿うようにしておき、金型の頭部１ｆを形成するキャビティとブロック５２１ｆを形成するキャビティ及び結合部３ｆを形成するキャビティ内の所定の位置を通るようにしておけば１本の長い導電体５１ｆに連続的に多数の係止具を成形でき、この成形終了後に導電体５１ｆを係止具毎に切断すれば良いことになる。
そして、導電体５１ｆを切断した係止具の切断面５１１ｆ等は、商品と接触した場合、特に衣類等においては静電気が発生することが考えられるので、静電気によるＩＣチップ４ｆの損傷を防止するために電気的絶縁処理を行うのがベストであるが、製作工数削減のためにこの実施例では、導電体５１ｆの切断面５１１ｆの周辺に凸部１１４ｆ（ブロック５２１ｆにあっては凸部５２２ｆ）を形成し導電体５１ｆの上記各切断面が直接商品等に接触するのを防止している。【００６９】  一方、結合部３ｆの先端部分においても導電体５１ｆを切断するので、この部分も電気的絶縁処理が必要となるが、この実施例では、結合部３ｆの切断面５１２ｆは、結合部３ｆを頭部１ｆに差込んで使用するので、図２０から判るように結合部３ｆの先端の切断面５１２ｆが頭部１ｆから突出しないようにして、導電体５１ｆの切断面５１２ｆが直接商品等に接触するのを防止している。【００７０】  次にＩＣチップ部４ｆとアンテナ部５ｆによるＲＦＩＤ作用について説明する。
係止具の帯状部２ｆはアンテナ部５ｆとして作用する導電体５１ｆとなっているが、頭部１ｆと結合部３ｆの結合状態では頭部１ｆ内の係止部分１１ｆ、すなわち穴１１１ｆ、換言すれば固定歯１１２ｆ及びその周辺の内壁１１３ｆには導電性物質が存在しないので、頭部１ｆと帯状部２ｆが互いに係止し合う係止機構Ｋｆの係止状態（図２０）では、結合部３ｆと頭部１ｆ内は電気的に絶縁状態となっている。したがって帯状部２ｆの長さをＵＨＦ周波数の波長の約１／４近くにした場合、アンテナ部５ｆとして電場を形成する効果的な条件を得て、モノポールアンテナとしての役目を果たすことになる。
この実施例の係止具では、帯状部２ｆの導電体５１ｆを金属、炭素繊維若しくは撚り電線等にしたことにより、実施例４に記載した作用効果に加え、電気抵抗が小さいので弱い電波でも通信が可能となる効果もある。
【実施例７】
【００７１】  係止具の実施例７について説明する。
図２１，図２２において、頭部１ｈからは、帯状部２ｈを延設している点、頭部１ｈと帯状部２ｈが互いに係止し合う係止機構Ｋｈが、帯状部２ｈの自由端側に、縮小拡大可能な羽根３１ｈを持つ矢尻状の結合部３ｈを設けていて、縮小拡大可能な羽根３１ｈは、空洞部３２ｈを形成することにより、羽根３１ｈが内側に縮むことができるようにしており、また、結合部３ｈの羽根３１ｈは、拡大時はその先端側から頭部１ｈ側に向かうほど広がる形状になっている点、さらに、頭部１ｈには、結合部３ｈの係止部分１１ｈを形成していて、係止部分１１ｈは、結合部３ｈ（羽根３１ｈ）の拡大時の外形寸法よりも小形で、縮小時の外形寸法よりも大形の穴１１１ｈを持つ固定歯１１２ｈにしている点、頭部１ｈにＩＣチップ部４ｈを配設し、ＩＣチップ部４ｈが、正面視Ｃ形状で電気的に切断した端部４１１ｈ，４１２ｈをもつ金属製のリードフレーム４１ｈと端部４１１ｈ，４１２ｈに電気的接続をしたＩＣチップ４２ｈとからなるようにした点、帯状部２ｈが、金属、炭素繊維若しくは撚り電線等からなる導電体５１ｈとし、頭部１ｈから結合部３ｈに至るまで貫通させていて、この導電体５１ｈの外周はあらかじめ電気的絶縁処理を施しておく点、導電体５１ｈを切断した係止具の切断面５１１ｈは、商品と接触した場合、特に衣類等においては静電気が発生することが考えられるので、静電気によるＩＣチップ４ｈの損傷を防止するために電気的絶縁処理を行うのがベストであるが、製作工数削減のためにこの実施例では、導電体５１ｈの切断面５１１ｈの周辺に凸部１１４ｈ（ブロック５２１ｈにあっては凸部５２２ｈ）を形成し導電体５１ｈの各切断面が直接商品等に接触するのを防止している点（図１６参照）、結合部３ｈの先端部分においても導電体５１ｈを切断するので、この部分も電気的絶縁処理が必要となるが、この実施例では、結合部３ｈの切断面５１２ｈは、結合部３ｈを頭部１ｈに差込んで使用するので、図２２から判るように結合部３ｈの先端の切断面５１２ｈが頭部１ｈから突出しないようにして、導電体５１ｈの切断面５１２ｈが直接商品等に接触するのを防止している点は実施例６（図１６〜図２０）と同じである。【００７２】  次に実施例６との相違点を説明する。
図２１，図２２に於いて、ＩＣチップ部４ｈは頭部１ｈの係止部分１１ｈを兼用している。
すなわち、ＩＣチップ部４ｈのリードフレーム４１ｈを環状にすることに加え、鍔４１４ｈを付設し、その一部を切り欠くことによって端部４１１ｈと端部４１２ｈを設けるとともに、端部４１１ｈ，４１２ｈは環状の外方向に延長している。
そして、端部４１１ｈ，４１２ｈとＩＣチップ４２ｈとは電気的に結合されている。
このリードフレーム４１ｈの内寸法は、先の実施例同様、結合部３ｈ（羽根３１ｈ）の拡大時の外形寸法よりも小形で、縮小時の外形寸法よりも大形にして係止部分１１ｈの穴１１１ｈを持つ固定歯１１２ｈを兼ねている。
なお、リードフレーム４１ｈは、銅合金、アルミニューム、等の導電性の材質で形成する。【００７３】  前記リードフレーム４１ｈの鍔４１４ｈ上には、金属、炭素繊維若しくは撚り電線等からなる導電体５１ｈで構成した帯状部２ｈが、リードフレーム４１ｈの穴１１１ｈの外側を半周するように配置している。【００７４】  この実施例では成形に際し、金型の係止具の長手方向に帯状部２ｈを配置しておき、帯状部２ｈの軸心から少しずれた位置からＩＣチップ部４ｈを帯状部２ｈの軸心方向に寄せていくことにより、図２１に示すように帯状部２ｈが、リードフレーム４１ｈの穴１１１ｈの外側を半周するように配置する。この状態で金型によりリードフレーム４１ｈを挟み込みリードフレーム４１ｈの上下方向位置（図２２参照）を定めた後、金型のキャビティ内に溶融樹脂を充填し、冷却後金型から成形品を突き出すことにより係止具を得る。
なお、リードフレーム４１ｈの頭部１ｈの樹脂部分による支え方法等は、実施例５と同じである。【００７５】  次にＩＣチップ部４ｈとアンテナ部５ｈによるＲＦＩＤ作用について説明する。
係止具の帯状部２ｈはアンテナ部５ｈとして作用する導電体５１ｈとなっているが、導電体５１ｈは、リードフレーム４１ｈと接触状態にあり、導体とリードフレーム４１ｈとの隙間は電気的絶縁分のみの間隔でしかない。また、頭部１ｈと結合部３ｈの結合状態では頭部１ｈ内の係止部分１１ｈ、すなわち穴１１１ｈ，固定歯１１２ｈ及びその周辺の内壁１１３ｈには導電性物質が存在しないので、頭部１ｈと帯状部２ｈが互いに係止し合う係止機構Ｋｈの係止状態（図２２）では、結合部３ｈと頭部１ｈ内は電気的に絶縁状態となっている。したがって、アンテナ部５ｈとリードフレーム４１ｈとはほぼ接触に近い状態となる上、帯状部２ｈの長さをＵＨＦ周波数の波長の約１／４近くにした場合、アンテナ部５ｈとして電場を形成する極めて効果的な条件を得て、モノポールアンテナとしての役目を果たすことができる。
加えて、ＩＣチップ部４ｈは頭部１ｈの係止部分１１ｈを兼用し頭部１ｈの小型化にも寄与する。
【実施例８】
【００７６】  次に、図２３〜図２９により第八の実施例を説明する。
この実施例は、前述した実施例４（図９〜図１４）の係止具の頭部１ｄ同士を図２３，図２５に示すように連結したものである。
したがって、頭部１ｊの形状と頭部１ｊ内のＩＣチップ部４ｊの配置が実施例４と相違するので、この点につき説明する。
なお、その他の個々の構成は、実施例４と同じであるのでここでの説明は省略する。
図２３〜図２５において、左右の係止具は各図のように頭部１ｊ同士が平面視ピーナッツ殻形状に類似した形状連結し樹脂で一体的に成形している。
ＩＣチップ部４ｊは、左右の穴１１１ｊ間の中間であって、各穴１１１ｊ及び頭部１ｊの外皮近くにリードフレーム４１ｊが位置するようにしている。
そして、各係止具の内壁１１３ｊと各帯状部２ｊの非導電部分５２ｊを除く全部には、上述した導電性の金属等の蒸着を施した導電膜５１ｊを施してアンテナ部５ｊを形成している。【００７７】  このように構成した係止具をループ状にすると図２７のように数字の８形状になり、頭部１ｊを延長基端とする各帯状部２ｊは、ループ状にしたにもかかわらず非導電部分５２ｊ（開放端部５３ｊ）の存在により２本のアンテナ部５ｊとＩＣチップ部４ｊは電気的結合状態となり、アンテナ部５ｊ、換言すれば左右のループ状の帯状部２ｊはそれぞれ通信距離が長いダイポールアンテナの役目を果たすが、頭部１ｊに係止した結合部３ｊとリードフレーム４１ｊも磁界結合状態となるため、結合部３ｊ側の２本のアンテナ部５ｊとＩＣチップ部４ｊも電気的結合状態になる（図２８参照）。
その結果、ＩＣチップ部４ｊのＩＣチップ４２ｊの配置を実施例３の図８に示すようにすれば、帯状部２ｊのループ状にしたときの円弧が帯状部２ｊの頭部１ｊからの延設基端側と結合部３ｊ側とのアンテナ部５ｊの角度が９０度に近い状態となることも相俟って、アンテナ部５ｊ全部がアンテナの役目を果たすことでクロスダイポールアンテナとなる。
なお、ＩＣチップ部４ｊを図２６に示す配置にするとともに、結合部３ｊに導電膜５１ｊを存在させないようにすれば、結合部３ｊと非導電部分５２ｊ間の帯状部２ｊはアンテナの役目を果たさず、頭部１ｊの外周及び非導電部分５２ｊと頭部１ｊ間の帯状部２ｊのアンテナ５４ｊのみがアンテナの役目を果たすので、帯状部２ｊをダイポールアンテナとすることができる等、この点でも顧客の選択の幅を広げることができる。
【実施例９】
【００７８】  次に、図３０〜図３１により第九の実施例を説明する。
この実施例は、実施例８（図２３〜図２９）の帯状部２ｊを二つ折りにして帯状部２ｋとし、非導電部分を折り返し部５２ｋとした以外は実施例８と同じである。
したがって、実施例８と同様な作用効果が存在することに加え、折り返した帯状部２ｋ同士の間の隙間を小さくすることができ、商品等を重ねたとき等に発生しやすい他の札等が係止具に絡みにくく、商品等の梱包時や陳列時に作業が楽になる作用効果もある。
【実施例１０】
【００７９】  この実施例は、前述した実施例６（図１６〜図２０）の係止具の頭部１ｆ同士を図３２，図３３に示すように連結したものである。
したがって、頭部１ｆの形状と頭部１ｆ内のＩＣチップ部４ｆの配置が実施例６と相違するので、この点につき説明する。
なお、その他の個々の構成は、実施例６と同じであるのでここでの説明は省略する。
図３２〜図３５において、頭部１ｎ同士を連結して一体的に成形した左右の係止具の穴１１１ｎ間にＩＣチップ部４ｎを図３４，図３５の姿勢で配置する。
導電体５１ｎは、左の結合部３ｎ，左の帯状部２ｎ及び左右の頭部１ｎを通り右の帯状部２ｎ，右の結合部３ｎに至るまで１本の導電体としている。この際、頭部１ｎ内では、導電体５１ｎの一部が左右の穴１１１ｎを避けて図３３，図３４のように、穴１１１ｎの上方を通るように配置している。そして、頭部１ｎ内では導電体５１ｎがＩＣチップ部４ｎのリードフレーム４１ｎの近傍を通るようにしている。【００８０】  係止具の帯状部２ｎはアンテナ部５ｎとして作用する導電体５１ｎとなっているが、頭部１ｎと結合部３ｎの結合状態では頭部１ｎ内の係止部分１１ｎ、すなわち穴１１１ｎ、換言すれば固定歯１１２ｎ及びその周辺の内壁１１３ｎには導電性物質が存在しないので、頭部１ｎと帯状部２ｎが互いに係止し合う係止機構Ｋｎの係止状態（図示せず）では、結合部３ｎと頭部１ｎ内は電気的に絶縁状態となっている。したがって帯状部２ｎの長さをＵＨＦ周波数の波長の約１／４近くにした場合、アンテナ部５ｎとして電場を形成する効果的な条件を得て、ダイポールアンテナとしての役目を果たすことになる。
この実施例の係止具では、帯状部２ｎの導電体５１ｎを金属、炭素繊維若しくは撚り電線等にしたことにより、実施例６に記載した作用効果に加え、長距離通信が可能となる作用効果もある。
【実施例１１】
【００８１】  この実施例は、実施例７（図２１，図２２）と同様に、ＩＣチップ部４ｐは頭部１ｐの係止部分１１ｐを兼用している状態の係止具を実施例１０（図３２〜図３５）と同様に頭部同士を連結したものである。
導電体５１ｐの配置は実施例１０と同じで、ＩＣチップ部４ｐが実施例７と相違するので、この部分につき説明すれば、ＩＣチップ部４ｐのリードフレーム４１ｐは、実施例７のリードフレーム４１ｈを変形させ、頭部１ｐの左右の穴１１１ｐ外側半周はリードフレーム４１ｐと兼用にし、左右の穴１１１ｐ内側半周は、樹脂部分でカバーするようにしている。それ以外は実施例７と同じなのでここでの説明は省略する。
したがって、この実施例は、実施例７の作用効果と同様に、ＩＣチップ部４ｐは頭部１ｐの係止部分１１ｐを兼用し頭部１ｐの小型化を図れるとともに、ダイポールアンテナとしての役目を果たすことになり、帯状部２ｐの導電体５１ｐを金属、炭素繊維若しくは撚り電線等にしたことにより、実施例７に記載した作用効果に加え、長距離通信が可能となる作用効果もある。
【実施例１２】
【００８２】  なお、これまで説明してきた、実施例１〜実施例１１に共通する実施例として、各結合部３（ａ〜ｐ）の形状を、図３９，図４０に示すように、各羽根３１（ａ〜ｐ）に代わり、矢尻状の先端部に図４０に示すようなひずみ吸収穴３１ｑを設けるようにしてもよい。この場合、各穴１１１（ａ〜ｐ）に、結合部３ｑを通す際、矢尻状の先端部はひずみ吸収穴３１ｑ効果により内側にたわみ穴１１１（ａ〜ｐ）を抜け出たところで、元の位置に弾性復帰して結合される。
したがって、商品に係止具を取り付ける作業時に、通常係止具群から１本ずつ係止具を取り出すが、この際他の係止具が絡んで所望の係止具と一緒に取り出されることがないので、効率の良い係止具の取り付け作業を行うことができる作用効果がある。
【実施例１３】
【００８３】  図４１，図４２において、帯状部２ｒの頭部１ｒと反対側の部位に他の物品と協働して係止する係止機構ｋｒを、フィラメント状にした帯状部２ｒと、この帯状部２ｒの頭部１ｒと反対側の部位に前記帯状部２ｒと交差する姿勢で設けた横棒３ｒと、この横棒３ｒが通過する他の物品Ｇｒとで形成した複数の係止具の頭部１ｒ同士を連結するとともに、複数の帯状部２ｒを電気的に連通するアンテナ部５ｒとし、横棒３ｒが帯状部２ｒと並行状態の姿勢時に他の物品Ｇを貫通し、他の物品Ｇを貫通後に再び前記帯状部２ｒに対して前記横棒３ｒが交差する姿勢にすべく複数の前記各横棒３ｒを前記他の物品Ｇに間隔を設けて貫通させて、これら帯状部２ｒと横棒３ｒの取付関係を形成した。【００８４】  そして、図４１に示すように、頭部１ｒ内にＩＣチップ部４ｒを図の姿勢で樹脂封止する。
したがって、これまで説明してきた他の実施例と同様に、ＩＣチップ部４ｒと導電体５１ｒとは電気的結合関係になるので、アンテナ部５ｒはダイポールアンテナとしての役目を果たす。
その結果、通信距離を長くできる作用効果に加え、広く普及している専用の工具を使用して、横棒３ｒをフィラメント状の帯状部２ｒと並行状態にして商品等の物品Ｇを貫通させると、横棒３ｒが、物品Ｇから抜け出たところで帯状部２ｒと交差する姿勢になり、横棒３ｒが、物品Ｇから抜けない状態になるため、物品Ｇに係止具を簡単に取り付けることができるという現行の係止片と同様の取扱ができること、換言すれば、極めて高速での取り付け作業を行うことができる上に、フィラメント状の帯状部２ｒはダイポール型のアンテナの役目を果たすので、ＩＣチップ部４ｒとシステム間の情報のやりとり、例えば、棚卸、バックヤードでの適正在庫管理、顧客が商品を手に取る等の顧客の商品への関心度、盗難防止、レジ作業の簡素化等の各種管理を行うことができるという高性能で高能率作業が可能となる。
なお、この実施例では、アンテナ部５ｒとして上記実施例の導電体５１ｒを配しているが、通常の樹脂製の係止片に上述したと同じ導電膜としてもよい。
【符号の説明】
【００８５】１ａ，１ｂ，１ｃ，１ｄ，１ｅ，１ｆ，１ｈ，１ｊ，１ｋ，１ｎ，１ｐ，１ｒ…頭部
２ａ，２ｂ，２ｃ，２ｄ，２ｅ，２ｆ，２ｈ，２ｊ，２ｋ，２ｎ，２ｐ，２ｑ，２ｒ…帯状部
３ａ，３ｂ，３ｃ，３ｄ，３ｅ，３ｆ，３ｈ，３ｊ，３ｋ，３ｎ，３ｐ，３ｑ，…結合部
３ｒ…横棒
４ａ，４ｂ，４ｃ，４ｄ，４ｅ，４ｆ，４ｈ，４ｊ，４ｋ，４ｎ，４ｐ，４ｒ…ＩＣチップ部
５ａ，５ｂ，５ｃ，５ｄ，５ｅ，５ｆ，５ｈ，５ｊ，５ｋ，５ｎ，５ｐ，５ｒ…アンテナ部
１１ａ，１１ｂ，１１ｃ，１１ｄ，１１ｅ，１１ｆ，１１ｈ，１１ｊ，１１ｋ，１１ｎ，１１ｐ，１１ｒ…係止部分
５１ａ，５１ｃ，５１ｄ，５１ｅ，５１ｊ，５１ｋ…導電膜（導電性材）
５１ｂ，５１ｆ，５１ｈ，５１ｎ，５１ｐ，５１ｒ…導電体
５３ａ，５３ｃ，５３ｄ，５３ｅ，５３ｊ，５３ｋ，…非導電部分５２ａ，５２ｃ，５２ｄ，５２ｅ，５２ｊ，５２ｋを設けて形成した開放端部（電気的絶縁状態）
５３ｂ，５３ｆ，５３ｎ，５３ｐ，…はみだし導電体５１３ｂ，５１３ｆ，５１３ｎ，５１３ｐを切断することにより形成した開放端部（電気的絶縁状態）
５３ｒ…横棒３ｒ部分に設けた開放端部（横棒３ｒを他の物品Ｇに間隔を設けて貫通させて取付関係を形成したことによる開放端部）
１１１ａ，１１１ｂ，１１１ｃ，１１１ｄ，１１１ｅ，１１１ｆ，１１１ｈ，１１１ｊ，１１１ｋ，１１１ｎ，１１１ｐ…穴
１１２ａ，１１２ｂ，１１２ｃ，１１２ｄ，１１２ｅ，１１２ｆ，１１２ｈ，１１２ｊ，１１２ｋ，１１２ｎ，１１２ｐ…固定歯
Ｇ…商品または他の物品
Ｋａ，Ｋｂ，Ｋｃ，Ｋｄ，Ｋｅ，Ｋｆ，Ｋｈ，Ｋｊ，Ｋｋ，Ｋｎ，Ｋｐ，Ｋｒ…係止機構
【図１】
2014154134.tif 000004
【図２】
2014154134.tif 000005
【図３】
2014154134.tif 000006
【図４】
2014154134.tif 000007
【図５】
2014154134.tif 000008
【図６】
2014154134.tif 000009
【図７】
2014154134.tif 000010
【図８】
2014154134.tif 000011
【図９】
2014154134.tif 000012
【図１０】
2014154134.tif 000013
【図１１】
2014154134.tif 000014
【図１２】
2014154134.tif 000015
【図１３】
2014154134.tif 000016
【図１４】
2014154134.tif 000017
【図１５】
2014154134.tif 000018
【図１６】
2014154134.tif 000019
【図１７】
2014154134.tif 000020
【図１８】
2014154134.tif 000021
【図１９】
2014154134.tif 000022
【図２０】
2014154134.tif 000023
【図２１】
2014154134.tif 000024
【図２２】
2014154134.tif 000025
【図２３】
2014154134.tif 000026
【図２４】
2014154134.tif 000027
【図２５】
2014154134.tif 000028
【図２６】
2014154134.tif 000029
【図２７】
2014154134.tif 000030
【図２８】
2014154134.tif 000031
【図２９】
2014154134.tif 000032
【図３０】
2014154134.tif 000033
【図３１】
2014154134.tif 000034
【図３２】
2014154134.tif 000035
【図３３】
2014154134.tif 000036
【図３４】
2014154134.tif 000037
【図３５】
2014154134.tif 000038
【図３６】
2014154134.tif 000039
【図３７】
2014154134.tif 000040
【図３８】
2014154134.tif 000041
【図３９】
2014154134.tif 000042
【図４０】
2014154134.tif 000043
【図４１】
2014154134.tif 000044
【図４２】
2014154134.tif 000045